(57)【要約】【課題】目に見える部品数を制限した、非常に単純で直観的に使用できる、化粧、衛生または調剤物質を分配するためのディスペンサを提案する。【解決手段】可動サブアセンブリのヘッドへのアクセスが不可能なように、可動サブアセンブリ（１２）の全体を収納位置に収容するための管状スリーブ（１４）からなる、化粧、洗浄または医薬調合物のためのディスペンサ（１０）。ハート型のカム溝（４４）とカム溝に係合するフィンガ（６６）とからなるカム機構が両側に配置されたロック機構（１６）が、収納位置にある可動サブアセンブリ（１２）の、スリーブに対する外方への移動を阻止する。ユーザが、外方への方向と反対の方向へ、軸方向でヘッドを押し込むと、ロック機構は、ヘッドが少なくともスリーブから外側へ突き出す位置まで、ばね（７０）によって外方へ付勢された可動サブアセンブリを解放する。【選択図】図１
2011240149.tif 000002
【特許請求の範囲】
【請求項１】
化粧、衛生または調剤物質を提供するためのディスペンサ（１０）であって、
放出軸（１９）および軸方向の放出方向（２０）に沿って筒状に伸びる管状シース（１４）と、
前記シースの内部に軸方向に沿って移動可能に配置され、前記シースの開口に臨む端壁（３２）およびアクセス用のドライブ・エレメント（３０）を持つ移動サブアセンブリ（１２）と、
前記シース（１４）および／あるいは前記移動サブアセンブリ（１２）内に区画形成した、前記物質を受容するための容積部と、
ロック状態において、収容位置にある前記移動サブアセンブリ（１２）の、前記シースに対する放出方向への移動を阻止し、そしてアンロック状態において、前記移動サブアセンブリを解放して、前記移動サブアセンブリが前記シースに対して、少なくとも突出位置に到達するまで放出方向へ移動することを可能にするロック手段（１６）とからなり、
収容位置にある前記移動サブアセンブリは、前記シース（１４）内に完全に受容されて、前記ドライブ・エレメント（３０）はアクセス不能であり、前記突出位置において、前記ドライブ・エレメントは、前記シースの外側に突き出し、アクセス可能であり、ユーザが前記移動サブアセンブリの前記端壁（３２）を、前記収容位置から押入位置へ、軸方向の前記放出方向とは反対側の軸方向へ押し込むと、前記ロック手段が前記ロック状態から前記アンロック状態へ切り替わるものであり、
前記ロック手段が、前記ロック状態にあるときに係止位置を保持し、前記移動サブアセンブリが前記収容位置から前記押入位置へ進み、前記ロック状態から前記アンロック状態へ移行するときに軸方向運動が変換された非軸方向の側方運動を含む解放相対運動を生じる、閉輪郭を持つハート型のカム溝（４４）と前記カム溝に係合する弾力フィンガ（６６）とによるカム機構からなり、
前記カム機構は前記移動サブアセンブリの両側に配設されている、ことを特徴とするディスペンサ。
【請求項２】
前記移動サブアセンブリの前記端壁（３２）の押し込みが、前記シース（１４）に対する回転運動のない並進運動の移動であるように、前記移動サブアセンブリが前記シースに対して誘導される、請求項１に記載のディスペンサ。
【請求項３】
前記押入位置から前記突出位置へ、前記放出方向に前記移動サブアセンブリを繰り出すためのドライブ手段（７０）をさらに備えてなる、請求項１または請求項２に記載のディスペンサ。
【請求項４】
前記ドライブ手段が、前記移動サブアセンブリ（１２）を前記放出方向に復帰させるように付勢する圧縮ばね（７０）からなる、請求項３に記載のディスペンサ。
【請求項５】
前記放出方向への前記移動サブアセンブリ（１２）の移動にブレーキをかけるためのブレーキ手段（３５）をさらに備えてなる、請求項３または請求項４に記載のディスペンサ。
【請求項６】
前記移動サブアセンブリ（１２）が、
前記物質を受容するための前記容積部を区画形成し、前記物質を保持するためのアプリケータ（２４）と、
前記シース（１４）内に配置した移動装置（２２）とからなり、
前記アプリケータは前記移動サブアセンブリの前記端壁（３２）を備え、前記移動装置は、前記移動装置（２２）に対して前記アプリケータ（２４）を保持するための保持手段（４０）を備える、請求項１〜５のいずれか１項に記載のディスペンサ。
【請求項７】
前記移動サブアセンブリ（１２）が前記突出位置にあるとき、また、前記移動サブアセンブリの前記端壁（３２）に前記放出方向へ軸方向力が加えられたとき、前記保持手段が前記アプリケータ（２４）を解放する、請求項６に記載のディスペンサ。
【請求項８】
前記移動装置（２２）がワンピースである、請求項６に記載のディスペンサ。
【請求項９】
前記弾力フィンガが、前記シースに固定され、または一体化されて前記アンロック状態へ移行するときには軸方向に移動せず、前記カム溝が、前記移動サブアセンブリに固定され、または一体化されて前記アンロック状態へ移行するときには軸方向に移動する、請求項１に記載のディスペンサ。
【請求項１０】
前記弾力フィンガが前記シースに対して静止している、請求項９に記載のディスペンサ。
【請求項１１】
前記シースの、一方の軸方向端部がシース端壁（１８）によって閉じられ、他方の軸方向端部が、前記収容位置にある前記移動サブアセンブリの前記端壁（３２）によって閉じられる開口を持ち、そして前記放出方向（２０）が、前記シース端壁から前記開口へ向かう、請求項１〜１０のいずれか１項に記載のディスペンサ。
【発明の詳細な説明】
【技術分野】
【０００１】
本発明は、化粧、衛生または調剤物質を分配するためのディスペンサに関し、例えば、リップスティックの構造に関する。
【背景技術】
【０００２】
リップスティックのスティック調整のためのディスペンサは、二つの部分からなることが知られている。すなわち、リップスティックを受容するための管状内容積を持つボディと、この容積の開いた軸方向の終端を閉じることが可能なシースとからなる。ボディは、通常、ボディの対称軸に関して回転可能に取り付けたヘッドと、ヘッドをボディに対して回転させるとリップスティックのスティックを繰り出すことが可能な繰出機構とを備える。
【０００３】
英国特許公報ＧＢ８５９８３８は、鏡に関連したリップスティック・シースを説明している。そのシースは、鏡のフレームのヒンジ上に取り付けられて、リップスティックの管を側方へ締着させるタングを持つピストンを導くための円筒を形成する。シースの端壁には、ピストンを押しやる放出ばねが設けられ、シースの放出軸は、鏡のフレームのヒンジの軸に平行である。シースが鏡に対して離れるように折られると、リップスティックの管の基部は、鏡のフレームに締結した皿の上に立つ。鏡を回転すると、ばねが弛緩し、ピストンが解放され管を繰り出す。管はタングによって放出位置に保持されるため、管を掴むときに管が落下するのを防止することができる。鏡に関連した皿の移動によって直接的にリップスティック管が解放されるため、この原理を、関連する鏡を持たない管へ適用することは難しい。
【０００４】
米国特許公報ＵＳ２，５５２，７１４は、組み合わせリップスティックおよびアプリケータ・ブラシ容器を説明している。この容器のシースは、二つの部分、すなわち、ブラシを受容するように設計された狭い堅固なシースと、半径方向の保持ラグを備えたリップスティック管を受容するように設計された変形可能なシースとに細分化されている。スロットを備えた壁が、二つのシースを切り離している。アプリケータは、スロット内で導かれリップスティック管に接触するスライドを備え、戻りばねが、アプリケータの基部を放出位置の方へ付勢する。収容位置から開始し、ユーザがシースの壁を半径方向へ押し込んで、ユーザは、ラグを解放する。ばねは、弛緩し、同時に、アプリケータおよびリップスティック管を放出位置の方へ繰り出す。それから、ユーザは、リップスティック管をつまんで、従来のやり方でそれを使用することができる。残念なことは、放出されると、管をシースに保持するものが何もないので、管が落下する可能性があることである。加えて、変形可能な壁を持つシースの使用は、心地よい外観を得ることや、この種の品物が備える豪華さとは、相容れないものである。
【先行技術文献】
【特許文献】
【０００５】
【特許文献１】英国特許公報ＧＢ８５９８３８
【特許文献２】米国特許公報ＵＳ２，５５２，７１４
【発明の概要】
【発明が解決しようとする課題】
【０００６】
したがって、本発明の目的は、目に見える部品数を制限した、非常に単純で直観的に使用できる、化粧、衛生または調剤物質を分配するためのディスペンサを提案することである。
【課題を解決するための手段】
【０００７】
この目的のために、本発明は、化粧、衛生または調剤物質を分配するための、次のものからなるディスペンサを提供する。
【０００８】
放出軸と軸方向の放出方向に沿って筒状に伸びる管状シース。
【０００９】
シースの内部に軸方向に沿って移動可能に配置され、押し込み可能な端壁およびアクセス可能なドライブ・エレメントを持つ移動サブアセンブリ。
【００１０】
物質を受容するために、シースおよび／あるいは移動サブアセンブリ内に区画形成した容積部。
【００１１】
ロック状態において、収容位置にある移動サブアセンブリの、シースに対する放出方向の移動を阻止し、そしてアンロック状態において、移動サブアセンブリを解放して、少なくとも突出位置に到達するまで、移動サブアセンブリがシースに対して放出方向へ移動することを可能にする、ロック手段。
【００１２】
ロック手段が、ロック状態にあるときに係止位置を保持し、移動サブアセンブリが収容位置から押入位置へ進み、ロック状態からアンロック状態へ移行するときに軸方向運動が変換された非軸方向の側方運動を含む解放相対運動を生じる、閉輪郭を持つハート型のカム溝とカム溝に係合する弾力フィンガとによるカム機構からなり、このカム機構は移動サブアセンブリの両側に配設されている。
【００１３】
収容位置にある移動サブアセンブリは、シース内に完全に受容されて、ドライブ・エレメントはアクセス不能であり、前記突出位置において、ドライブ・エレメントは、シースの外側に突き出し、アクセスが可能である。また、ロック手段は、ユーザが移動サブアセンブリの端壁を、軸方向の放出方向と正反対の軸方向へ押し入れたときにロック状態からアンロック状態へ、すなわち収容位置から押入位置へ移行する。
【００１４】
放出作動は非常に単純である。機構が、シースからヘッドを取り出すことを必要としないため、時機を逸した放出の危険性は少ない。
【００１５】
突出位置に到達した移動サブアセンブリの使用を可能にするドライブ・エレメントは、異なる形態を採り、また異なる機能を実行することができる。ディスペンサが、特にシースから移動サブアセンブリを切り離す目的で、それを掴むことを必要とする場合、ドライブ・エレメントは、移動サブアセンブリを掴むためだけに利用する、端壁の一部、例えば、半径方向の面でもよい。ドライブ・エレメントは、また、分配すべき物質が流体であるならば、バルブまたはポンプを制御するための押しボタンであってもよい。物質を分配するための開口部を開くためのタングであってもよい。
【００１６】
移動サブアセンブリの端壁の押し込みが、シースに対する回転運動を全く伴わない並進運動の移動になるように、移動サブアセンブリをシースに対して誘導することが好ましい。ユーザの観点から、並進運動の移動は、特に単純で直観的である。
【００１７】
ディスペンサは、さらに、押入位置から突出位置へ、放出方向で移動サブアセンブリを繰り出すためのドライブ手段からなることが好ましい。ドライブ手段は、移動サブアセンブリを、放出方向に復帰させるように付勢する圧縮ばねからなる。ドライブ・エレメントにアクセスするためにディスペンサをひっくりかえす必要がないように、放出は自動である。
【００１８】
移動サブアセンブリは端壁を備え、物質を受容する容積部を区画形成して物質を保持するアプリケータ、そしてシース内に配置され、移動装置に対してアプリケータを保持するための保持手段を備えた移動装置からなる。
【００１９】
移動装置は、ロックおよび／あるいはガイド機能の少なくともいくつかを実行可能な、ユーザの目に付かない中間サブアセンブリを構成する。これは、ユーザから隠されてボディの純形状を維持することが可能である。
【００２０】
保持手段は、移動サブアセンブリが突出位置にあるとき、そして放出方向へ移動サブアセンブリの端壁に軸方向力が加えられるとき、アプリケータを解放することが好ましい。保持手段は、非常に単純なやり方で、例えば、放射状に弾力的に変形可能なリングによって、またはフィンガを備えた締着嵌筒によって構成してもよい。この場合、フィンガは、弾性変形によって管の軸方向端に締着するため、管を解放するには、単なる牽引による移動だけで十分である。
【００２１】
特に単純な実施例では、移動装置はワンピースである。したがって、ワンピースの移動装置は、例えば、シースに固定した、または一体化した補完的な手段と共にロック機能、管保持機能、そしてストローク端当接段部との共作用機能、および／あるいは管に対して移動サブアセンブリを誘導する機能等の、複数の機能を実行できる。
【００２２】
シースは、一方の軸方向端部がシース端壁によって閉じられ、他方の軸方向端が、収容位置にある移動サブアセンブリの端壁によって閉じられる開口を持つことが好ましい。この場合、放出軸方向は、シース端壁から開口へ向かう。収容位置において、ディスペンサの外観は特に純粋である。一つのタイプの移動だけが許容されているため、シースから移動サブアセンブリを繰り出すために必要なドライブ運動に関して誤りを犯す危険性がない。
【００２３】
他の利点および特徴は、非限定的な例として添付図面に示す、本発明の実施例の以下の説明から、さらに明らかになる。
【００２４】
本発明による実施例を説明するために使用する参照符は、可能な限り、他の参考例の、同一の、または同程度の部分を説明するためにも使用する。
【図面の簡単な説明】
【００２５】
【図１】本発明によるリップスティック・ディスペンサの、一実施例の分解図である。
【図２】図１のディスペンサの、収容位置における軸方向断面図である。
【図３】図１のディスペンサの、押入位置における軸方向の断面図である。
【図４】図１のディスペンサの、突出位置における軸方向断面図である。
【図５】図１のディスペンサのハート型カムを示す詳細図である。
【図６】本発明に含まれない参考例としてのディスペンサの分解図である。
【図７】図６のディスペンサの、収容位置における軸方向の断面図である。
【図８】図６のディスペンサの、押入位置における軸方向断面図である。
【図９】図６のディスペンサの、掴める位置における軸方向断面図である。
【発明を実施するための形態】
【００２６】
図１から図５に示すように、本発明によるリップスティック・ディスペンサ１０の一実施例は、多角形断面を持つシース１４内に受容され、ロック機構１６によってロック位置に静止保持される移動サブアセンブリ１２から構成される。
【００２７】
シース１４は、一方の軸方向終端が端壁１８によって閉じているが、反対側軸方向終端が開口している。この構造によって、移動サブアセンブリ１２のための、放出軸１９および放出方向２０が区画形成される。説明を単純化するために、以下においては、ディスペンサが、その放出軸を垂直にし、その放出方向を上方へ向けて配置されていると仮定するが、実際には、ディスペンサが全方向で使用できることは当然である。
【００２８】
移動サブアセンブリ１２は、従来からのリップスティック管２４（アプリケータ）を支持する移動装置２２からなる。リップスティック管は、リップスティックのスティック（図示せず）を受容するためのホルダ円筒２６から構成され、この円筒は、一端が開いており、その反対側の終端がヘッド２８によって閉じている。ヘッド２８は、端壁３２と、掴める半径方向の面から構成したドライブ・エレメント３０とからなる。従来の機構（図示せず）のように、ユーザがヘッド２８を掴み、それを円筒２６に対して、その軸の回りに回転させることによって、ホルダ円筒２６からリップスティックのスティックを繰り出すことが可能である。
【００２９】
移動装置２２は、カラー３５を備えるガイド外側円筒スリーブ３４を構成するワンピースの多目的部品によって形成され、シース１４の内壁に沿って回転移動せずに軸方向に滑動するように取り付けられたガイドピストンを形成し、そして、リップスティック管２４を収容するための収容容積３８と機構１６とを区切る中間隔壁３６によって閉じられている。中間隔壁３６は、収容容積側に、リップスティック管２４を保持するための内部リング４０を形成する。前記中間隔壁は、また、ロック機構１６と同じ側に、シースの端壁１８の方へ突き出す、軸平面に関して相互に対称形状を持つ二つの平行な底部フランジ４２を形成する。これらフランジの各々は、図５に詳細に示すハート型の溝４４を備える。各溝４４は、ステップ状に、高トラック４６、半高トラック４８、休止トラック５０および低トラック５２を持つ。また、上昇トラック５４も備える。トラックの各々には、低点および高点を定義する傾斜路のような、連続的にトラックの一端から次のトラックへと高さが減少する高さの変化が設けられている。各トラックの高点は、隣接するトラックの低点の近くにあり、隣接領域の低点よりも深さが浅い。このため、トラックは互いから、ステップ５６、５８、６０、６２によって区切られている。
【００３０】
シースの端壁には、２本の弾力フィンガ６６からなるクランプが固定されている。フィンガ６６の自由端は、溝４４（移動エレメント）内へ受容されるように、半径方向内方へ曲がったラグ６８（当接部）を形成する。溝は、休止位置に対して、フィンガが離れるように付勢するため、フィンガは屈曲し、溝４４の後部（溝底面）に弾性耐力を加える。その結果、フィンガの端部ラグ６８が溝４４の後部で滑動するとき、ステップ５６、５８、６０、６２は、低点から高点に向かう傾斜路を上るように移動した際に越えることができるが、逆向きにはステップを越えられずに非超越的で一方向性の、チェック・デバイスを構成する。圧縮コイルばね７０（ドライブ手段）は、シースの端壁１８に対して、そして移動装置の隔壁３６に対して作用し、移動装置２２を、シースから放出されるように放出方向２０へ付勢する
【００３１】
したがって、溝４４は、連続したステップが、図５に示す反時計回りの経路上で、弾力フィンガ６６の端部のラグ６８を強制的に移動させるハート型カムを構成する。ラグ６８とばね７０との協調から、前記溝は、後述する４ステージ作動サイクルをディスペンサに与える、双安定機構を区画形成する。なお、前記ラグ６８（当接部）はシース１４に固定されるほか一体化されてもよく、また、溝４４（移動エレメント）つまりフランジ４２は移動サブアセンブリ１２に一体化されるほか固定されてもよい。
【００３２】
収容位置において、リップスティック管２４および移動装置２２から構成される移動サブアセンブリ１２は、完全にシース１４内に位置する。このため、特に、ヘッド２８のドライブ・エレメント３０へのアクセスが防止される。ヘッド２８の端壁３２は、その周辺部が非常に小さな間隙でシース１４の内周内に位置し、シース１４を閉じる。リップスティック管２４の、ヘッドから反対側の端部は、円筒端を形成し、移動装置の内部リング４０（保持手段）上に嵌合することによって係止され、リップスティック管２４が移動装置２２に固定される。ばね７０が移動装置２２を放出方向へ付勢するが、ラグ６８が、シースの端壁１８の方に向いた休止トラック５０の終端で溝４４の側壁に当接するため、その方向への移動は阻止される。
【００３３】
ユーザが、ばね７０に抗して、ヘッドをシースの端壁の方へ押し込むと、シース１４に対して溝４４（移動エレメント）が移動する。ラグ６８（当接部）は、半高トラックから休止領域を区切る上昇ステップ５８を横切ることができないため、落下ステップ６０を横切って低トラック５２上に来るまで、端壁からより遠い休止トラック５０の端部へ導かれる。その後、ステップ６０は、休止トラック５０の方への戻りを阻止する。その際に、フィンガ６６は、図３の左側への曲げ変形を受ける。
【００３４】
ユーザがヘッド２８を押すのをやめると、ばね７０は、低トラック５２上に移動してしまったラグが、ステップ６２を横切って高トラック４６の下端で溝４４の側壁に当接し戻れなくなるまで、移動サブアセンブリ１２を自由に放出方向へ繰り出す。放出移動には、シース１４の壁に沿って摩擦するカラー３５と、おそらくスリーブ３４とによるブレーキ手段によって、僅かにブレーキがかかるだけである。このため、放出移動は、波打つことなくスムーズに進行する。デバイスに与える豪華さの印象を得るこの効果は、必要に応じて、カラー３５とシースの壁との間に不完全なシーリングを提供することによって強調することもできる。したがって、放出中におけるカラー３５の両側の圧力の均一化は即時的なものではなく、シースの閉部分内にわずかな吸気が発生する。この過程の終了時、移動サブアセンブリは、掴める位置に到達する。この位置で、管のヘッドのドライブ・エレメント３０の可掴側面にはアクセス可能であり、リップスティック管２４は、密着嵌合による係合によって内部リング４０上に保持される。ユーザは、単にドライブ・エレメント３０の可掴面でヘッド２８を掴み、少量の牽引力を加えることでリップスティック管２４を引き出し、内部リング４０上に係止されたリップスティック管の端部を解放することができる。
【００３５】
シース１４内にリップスティック管２４を戻すためには、ユーザは単に、リップスティック管２４をシース１４内へ押し込むだけである。シースの端壁１８の方へ移動装置２２をも押し込みながら、リップスティック管２４は内部リング４０上に係止される。そのとき、低トラック５２の方へ戻ることをステップ６２によって阻止されるラグ６８は、高トラック４６に沿って移動し、ステップ５６を横切って、端壁１８から遠い半高トラック４８の端部にある溝４４の上端壁に当接する。これによって移動装置の移動が止まる。オプションとして、移動装置２２が静止している間に、リップスティック管２４は、内部リング４０内に完全に係止されるよう、短ストロークだけさらに移動させてもよい。
【００３６】
ユーザが加圧をやめるとすぐに、移動サブアセンブリ１２は、それをロック位置の方へ繰り出すばね７０によって押し離され、ラグ６８は、半高トラックと休止トラックとの間のステップ５８を横切り、もう一度溝の下端壁に当接する。これによって、使用サイクルが一巡する。
【００３７】
さて、本発明には含まれない参考例を、図６から図９を参照して説明する。リップスティック・ディスペンサ１０は、シース１４内に受容されてロック機構１６によってロック位置に静止保持された移動サブアセンブリ１２を持つ。シース１４の一端は、静止した歯のあるリング７８を持つ端壁１８によって閉じられている。このリングは、軸方向に突き出し、その歯は複数の傾斜路を形成している。シース１４の他端は開いている。
【００３８】
移動サブアセンブリ１２は、上記実施例のリップスティック管に類似した、従来からのリップスティック管２４を支持する移動装置を持ち、リップスティック（図示せず）のスティックを受容するためのホルダ円筒２６から構成される。ホルダ円筒は、一端が開いており、その反対側がヘッド２８によって閉じられている。ヘッド２８は半径方向の可掴面によるドライブ・エレメント３０と端壁３２を持つ。従来からの機構（図示せず）は、ユーザがヘッド２８を掴み、それを円筒２６に対してその軸の回りに回転させることによって、ホルダ円筒２６からリップスティック（図示せず）のスティックを繰り出すことを可能にしている。
【００３９】
移動装置は、誘導締結スリーブ３４、中間円筒としてのターンスタイル８２、そして軸エクステンダ８４から形成されている。スリーブ３４は、シース内に、並進運動は自由であるが回転運動が阻止されるように取り付けられている。そしてリップスティック管の収容容積３８と機構１６とを区切る中間隔壁３６によって、一端が閉じられている。中間隔壁３６は、収容容積側に、リップスティック管２４を保持するための内部リング４０を形成し、そしてロック機構１６側に、シースの端壁１８の方へ突出して、溝付き底部軸エクステンション８６を形成する。また、このエクステンションの軸端には、軸方向に突出する傾斜路８８が形成されている。ターンスタイル８２は、４つの半径方向へ突出する突起９０を持つ。これらの突起には、一方でシースの端壁の静止歯リング７８と、そして他方でスリーブの軸エクステンション８６の傾斜路８８と協調するように機能する補完的な傾斜路が形成されている。ターンスタイル８２の内面には、その底部に、装飾溝９４で区切った側面９２が設けられている。軸エクステンダ８４には、ターンスタイル８２の側面９２と装飾溝９４とに協調する半径方向突出部９６が設けられ、また、スリーブ３４の隔壁３６内の正方形断面の凹部内へ挿入される、４つのキャッチ９８が設けられている。このため、エクステンダ８４は、回転運動なしで、スリーブ３４に対して小さな範囲で並進運動が可能である。
【００４０】
圧縮ばね７０は、シースのカム１００のショルダとスリーブの中間隔壁３６との間に装着される。ロック機構１６は、側面１０２を備える円筒ブッシングを形成する静止カム１００で構成される。これらの側面は、カム１００の内方へ放射状に突き出し、ターンスタイルを誘導するためのガイド溝１０４Ａ、そしてロック溝１０４Ｂで交互に区切られている。側面１０２の底部軸端には、傾斜路１０６が形成されている。溝１０４Ａ、１０４Ｂの各々は、スリーブ３４の溝付きエクステンション８６の側面とのみ協調するように機能する浅い頂部１０８Ａ、１０８Ｂ、そしてスリーブ３４の溝付きエクステンションの側面のみだけではなく、軸方向に誘導するためにターンスタイル上の突起９０とも協調する、より深い底部１１０Ａ、１１０Ｂを持つ。異なる深さの二つの部分は、突起９０のために軸方向の受面を形成するステップ１１２Ａ、１１２Ｂによって相互から区切られている。ガイド溝１０４Ａを区切るステップ１１２Ａ（ストローク端当接段部）はシースの端壁１８から遠隔に位置し、部分１１０Ａは大きな軸方向の寸法を持つ。ロック溝１０４Ｂを区切るステップ１１２Ｂは、傾斜路の形状になっており、隣接側面の一つの傾斜路１０６と整列して位置するため、底部１１０Ｂは非常に小さい。
【００４１】
デバイスは、以下の通りに作動する。
【００４２】
図７に示すロック位置において、リップスティック管２４はシース１４内に収容されている。ばね７０は、圧縮されており、リップスティック管２４および移動装置から構成した移動サブアセンブリ１２を放出するように付勢している。しかし、ターンスタイル８２は、突起９０が、ロック溝１０４Ｂの深い部分１０４Ｂ内に位置して、静止カム１００内のロック溝１０５Ｂのステップ１１２Ｂに軸方向で当接し、そして隣接側面１０２の側壁に側面で当接するように配置されている。また、エクステンダ８４の突出部９６は、ターンスタイル８２の側面９２に対して軸方向で当接している。
【００４３】
ユーザがヘッド２８の端壁３２を押すと、移動サブアセンブリ１１２はシース１４内へ突入する。スリーブの溝付きエクステンション８６の傾斜路８８は、ロック溝１０４Ｂからターンスタイルの突起９０を押し出すため、ターンスタイル８２は自由に回転するようになる。傾斜路８８の並進運動の継続は、突起９０およびターンスタイル８２を、放出軸１９の回りに回転させ、その移動は、突起９０の各々が静止リング７８の２枚の歯に係合するまで継続する。そのとき、軸エクステンダ８４は、スリーブ３４と端壁１８との間のスペーサとして機能し、スリーブ３４の挿入移動を制限するため、ディスペンサは、図８に示す位置に到達する。
【００４４】
ユーザがヘッド３８の端壁３２を押すことをやめると、ばね７０は、スリーブ３４を押し出す。この動きは、キャッチ９８の軸方向クリアランスに対応するロストモーション・ストロークの後、突出部９６がターンスタイル８２の側面９２のステップ１１４に対して軸方向でなお当接している軸エクステンダ８４の繰り出しを開始させる。ばね７０の放出力は、それから、側面１０２の傾斜路１０６上を滑動して後退する突起９０に伝達されるため、ターンスタイル８２を回転させる。この回転運動の後、突起９０はガイド溝１０４Ａに軸方向で整列し、装飾溝９４は突出部９６に対向する。ターンスタイル８２およびエクステンダ８４から形成した入れ子式サブアセンブリは、ばね７０によって並進運動で繰り出される。移動装置の移動は、突起９０がガイド溝１０４Ａのステップ１１２Ａに当接し、そして突出部９６が装飾溝９４の軸方向端１１６に当接すると停止する。そのとき管は、図９に示す掴める位置に到達し、取り出しが可能になる。
【００４５】
リップスティック管は、以下の方法で収容できる。
【００４６】
リップスティック管２４をスリーブ３４内へ挿入して、前記スリーブをシースの端壁１８の方へ押し込む。ロストモーション・ストローク後、スリーブ３４は、エクステンダ８４の押し込みを開始する。スリーブの溝付きエクステンション８６は、静止カム１００のブッシング内へ突入して、シースの端壁の方へターンスタイル８２を押し込む。ターンスタイル８２上の突起９０が静止カム１００の傾斜路１０６の底部軸方向端を通過したら、そして軸エクステンダの突出部９６がターンスタイルの装飾溝９２から出たらすぐに、ターンスタイル８２は再び自由に回転できるようになり、スリーブの溝付きエクステンションの軸方向端傾斜路８８から力を受けて回転を開始する。リップスティック管を押し込み続けると、突出部９６が装飾溝９４から放出され、突起９０は静止リング７８の歯に接触する。これらの歯は、突起９０が静止カム１００の傾斜路１０６に垂直に整列するまで、ターンスタイルが継続的に回転することを強制する。この回転移動の後、軸エクステンダ８４は、ターンスタイルの側面９２の端部１１４に軸方向で当接する。この圧入移動は、隔壁３６と端壁１８との間のスペーサとして機能する軸エクステンダによって制限される。
【００４７】
ユーザが加圧をやめると、ばね７０が移動装置を押し離すため、エクステンダ８４は、ばね７０からターンスタイル８２へ、そしてその突起９０へと軸方向の力を伝達する。突起は、傾斜路１０６に沿って滑動し、ロック溝１０４Ｂに突入して傾斜路１１２Ｂに当接する。そのとき、機構はロックされ、ディスペンサが図７に示す位置に復帰して、サイクルが完了する。
【００４８】
当然、種々の変更は可能である。
【００４９】
両実施例において、シースは断面が多角形である。これは、特に、リップスティック管を、シースに対して回転させることなく、並進運動で移動させることを可能にする。当然、本発明を円形断面のシースで具現することも可能である。この場合は、シースに対して軸方向に管および／あるいは移動装置を誘導するための、軸方向誘導手段を設ける必要があるかもしれない。
【００５０】
ばねはどのタイプでもよいが、特に牽引ばね、または圧縮ばねが好ましい。ばねは、シースに対して静止した部品と、移動装置で繰り出される部品との間に装着することができる。
【００５１】
上記実施例において、ステップ５６、５８、６０および６２は必須でない。また、トラックは、恒常的な深さで同一平面に存在してもよい。ラグを一方通行で誘導するために、同業者に既知の方法で、ハート型カムの形状を修正すれば十分である。
【００５２】
上記参考例は、得られるストロークが、課題の使用に十分であるならば、エクステンダを省略して単純化してもよい。
【００５３】
リップスティック管のヘッドの端壁に、糊の付いた紙からなる剥がすことのできないパッチを貼り付けることもできる。このパッチは、シースの外側の半径方向の面上へ折り重ねることが可能な側面タブを備える。
【００５４】
用語「リップスティック管」は、その一般的な意味で理解すべきであり、化粧または膏薬のスティックを受容するための容積を区画形成し、そして使用のために前記スティックを繰り出すことを可能にする機構を備えるデバイスを示す。リップスティック管は、また、機構を持たず、そしてリップスティックのスティックを受容するための内部容積を持たないアプリケータに置換することもできる。すなわち、リップスティックのスティックを締結するためのはめ筒を備えたヘッドへと単純化してもよい。また、リップスティックは、化粧、衛生または調剤での使用のために設計したアプリケータの、どのタイプでも置換できる。この場合、それを掴むことを可能にするドライブ・エレメント、適用する物質のためのリザーバ、そしてそのリザーバから物質を繰り出すための手段を設ける。適用物質は、液体または粉状の物質でもよい。
【００５５】
静止した、あるいは移動装置によって支持したチャンバ内のシース内に物質を収容するための容積を設けることも可能である。この場合、前述の例において言及したリップスティック管は、例えば、ブラシ、ピペットまたはスパチュラ・タイプのアプリケータで置換する。アプリケータには、上記の例のヘッド２８に類似したヘッドを設ければ十分である。第一の変形例において、アプリケータは、収容位置で物質に接触できる。好適な第二の変形例においては、収容位置にあるアプリケータを、適用する物質を含むチャンバから分離する。アプリケータのヘッドを押し込んだときにだけ、アプリケータは、物質を含むチャンバ内へ突入し、ロック機構のロックが外れてアプリケータの放出が可能になる。
【００５６】
本発明を、例えば香水ディスペンサ等の液体ディスペンサ、特にバルブあるいはポンプに適用することも可能である。第一の変形例として、移動サブアセンブリを、上記のタイプの移動装置と、端壁の反対側の面に計量分配ノズルとを備えたフラスコまたはビンから構成する。端壁を押すことによってロック手段を解放し、底部の端壁を、シースに対して突き出た突出位置へ繰り出す。その結果、ノズルへアクセスする目的で、ビンの端壁を掴んで、それをシースから完全に取り出すことができる。第二の変形例として、移動サブアセンブリは、突出位置を越えてシースから出てくるように設計されていないワンピースのサブアセンブリである。また、移動サブアセンブリは、例えば、半径方向のノズルと、そのノズルから正反対側にドライブ・ボタンとを備えたヘッドを持ち、バルブまたはポンプを制御することが可能である。シースに対する移動サブアセンブリの軸方向への移動に干渉しないように、シースの軸に直交する方向、例えば、ノズルの半径方向放出軸に対応する半径方向へ押すことによってドライブ・ボタンを作動させることが好ましい。
【００５７】
実施例においては、リップスティック管の軸方向の移動のみがロック機構１６に伝達され、そのエレメントが、非軸方向の構成要素を含む運動を行う。この軸方向運動の側方運動への変換は、どんな手段でも達成できる。
【符号の説明】
【００５８】
１０    ディスペンサ
１２    移動サブアセンブリ
１４    シース
１６    ロック手段（ロック機構）
１８    シース端壁
１９    放出軸
２０    放出方向
２２    移動装置
２４    アプリケータ（リップスティック管）
２６    ホルダ円筒
２８    ヘッド
３０    ドライブ・エレメント
３２    端壁
３４    スリーブ
３５    ブレーキ手段（カラー）
３６    中間隔壁
３８    収容容積
４０    保持手段（内分リング）
４２    フランジ
４４    カム溝
４６    高トラック
４８    半高トラック
５０    休止トラック
５２    低トラック
５４    上昇トラック
５６，５８，６０，６２    ステップ
６６    弾力フィンガ
６８    ラグ
７０    ドライブ手段（圧縮ばね）
【図１】
2011240149.tif 000003
【図２】
2011240149.tif 000004
【図３】
2011240149.tif 000005
【図４】
2011240149.tif 000006
【図５】
2011240149.tif 000007
【図６】
2011240149.tif 000008
【図７】
2011240149.tif 000009
【図８】
2011240149.tif 000010
【図９】
2011240149.tif 000011